(57)【要約】【課題】　アラーム機構のスイッチが信頼性を以ってオンオフでき、またそれと同時に前記アラーム機構の状態についてその使用者に視覚情報を提供する時計を提供すること。【解決手段】　本発明は、所定の瞬間にアラーム信号を発生できる部材（２）を含むアラーム機構（１）や、アラーム機構（１）のスイッチがオンかオフかを表示する視覚情報を提供し、それと同時にアラーム発生部材（２）をロック又は解除する制御装置（６）を内蔵した腕時計等の時計であって、前記制御装置（６）が押しボタン（２２）により作動されることを特徴とする時計に関する。【選択図】　　　図１
2004085572.tif 000002
【特許請求の範囲】
【請求項１】
　所定の瞬間にアラーム信号を発生できる部材（２）を含むアラーム機構（１）を備えると共に、アラーム機構（１）のスイッチがオンかオフかを表示する視覚情報を提供し、かつアラーム発生部材（２）をロック又は解除する制御装置（６）を備える腕時計等の時計であって、前記制御装置（６）が押しボタン（２２）により作動させられることを特徴とする時計。
【請求項２】
　前記押しボタン（２２）がコラムホイール（２４）を介して前記制御装置（６）に作用することを特徴とすることを特徴とする請求項１記載の時計。
【請求項３】
　前記コラムホイール（２４）がラチェットホイール（２６）で形成され、前記ラチェットホイール（２６）が歯（３０）と、前記ラチェットホイール（２６）に直角に作られたコラム（２８）を備え、前記ラチェットホイール（２６）の歯（３０）の数が前記コラム（２８）の数の倍であることを特徴とする請求項２記載の時計。
【請求項４】
　前記制御装置（６）がアラームロックレバー（８）とロック表示レバー（１０）を含むことを特徴とする請求項１乃至３の何れか記載の時計。
【請求項５】
　前記アラームロックレバー（８）が、前記アラーム機構（１）のロックされた位置で前記アラーム発生部材（２）を固定するアーム（１２）と、前記コラムホイール(２４）のコラム（２８）に当接し、あるいは前記コラム（２８）の内の二つのの間に収まるビーク（４４）とを含むことを特徴とする請求項４記載の時計。
【請求項６】
　前記アラームロックレバー（８）が、前記ビーク（４４）が二つのコラム（２８）の間に入ったときに前記コラムの内の別のコラムに当接するヒール（５４）を含むことを特徴とする請求項５記載の時計。
【請求項７】
　前記アラームロックレバー（８）のアーム（１２）が前記アラーム発生部材（２）に固着された停止部材（１４）に当接することにより前記アラーム発生部材（２）を固定することを特徴とする請求項５又は６記載の時計。
【請求項８】
　前記停止部材（１４）がピンであることを特徴とする請求項６記載の時計。
【請求項９】
　前記ロック表示部材（１０）が、前記アラーム機構（１）のスイッチがオンであることを表示するように時計の文字盤に配置された開口（２０）に面して現れるようにされた表示シンボル（１８）を備えており、前記コラムホイール（２４）のコラム（２８）に当接し、あるいは前記コラム（２８）の内の二つの間に収まることができるビーク（４８）を含むことを特徴とする請求項４乃至８の何れか記載の時計。
【請求項１０】
　前記アラーム発生部材（２）が鐘（４）を叩くことのできるハンマーにより形成されることを特徴とする請求項１乃至９の何れか記載の時計。
【請求項１１】
　前記アラーム発生部材（２）が音無しアラームを発生することを特徴とする請求項１乃至９の何れか記載の時計。
【請求項１２】
　押しボタン（２２）が制御レバー（３２）を介してコラムホイール（２４）に作用することを特徴とする請求項１及び２に従属することを前提として請求項３乃至１１の何れか記載の時計。
【発明の詳細な説明】
【技術分野】
【０００１】
　本発明は時計、詳細には所定の瞬間にアラーム信号を発生させるアラーム機構を含む腕時計に関する。
【背景技術】
【０００２】
　アラームのスイッチがオンかオフかを示す視覚情報をユーザに提供し、同時にアラーム機構の叩きハンマーをロック又は解除する装置を内蔵した時計は既に知られている。例として、そのようなタイプの時計に関係する特許文献１を引用できる。より正確には特許文献１はその基体に実質的に三角形をした軸受けのレバーと、時計のアラームのスイッチがオンかオフかをそれぞれ示す二つの刻印とを含むアラームタイプの時計を開示している。レバーの占める位置によって、これらの刻印のどちらかがアラーム時計の文字盤に配置された開口を通じて見える。レバーは、その先端がピボット回転可能に取り付けられ、アラーム時計ケースの外側に突き出た制御ボタンを含む。このボタンを双方向に交互に移動させることにより、使用者は望む通りに叩き機構のスイッチをオンオフできる。それと同時にレバーが停止部材を介してアラーム機構の叩きハンマーをロック又は解除する。このようにして、制御ボタンが移動した位置によって、アラーム時計はアラームのスイッチがオンかオフかを示す視覚情報を使用者に提供し、アラーム機構の叩きハンマーがそれと同時にロック又は解除される。
【０００３】
　述べてきたタイプの機構は、アラームタイプの時計に適しているけれども、腕時計に適用するのは難しい。実際、アラームの状態を調節する制御ボタンがアラーム時計の円周部に沿って両端の位置の間を移動する。使用者の腕に着けた腕時計ケースに取り付けた場合、そのようなボタンは例えば衝撃により、あるいはそれを着けている人の服の袖に引っかかって不注意に位置を変ることがあり、それによりその人は自分の時計のアラーム機構の状態が正確に分らなくなる。
【０００４】
【特許文献１】Shatz、英国特許第３０９３０６号明細書
【発明の開示】
【発明が解決しようとする課題】
【０００５】
　他の欠点に加えて、そのアラーム機構のスイッチが信頼性を以ってオンオフでき、またそれと同時に前記アラーム機構の状態についてその使用者に視覚情報を提供する時計を提供することによりこの欠点を克服することが本発明の目的である。
【課題を解決するための手段】
【０００６】
　本発明は、時計、詳細には所定の瞬間にアラーム信号の発生が可能な部材と、アラーム機構のスイッチがオンかオフかを示す視覚情報を提供しかつそれと同時にアラーム発生部材をロック又は解除し、押しボタンにより作動されることを特徴とする制御装置とを含むアラーム機構を内蔵した腕時計に関する。
【０００７】
　これらの特徴の結果、本発明はアラーム機構のオンオフ状態の表示の制御と、アラーム発生部材のロック又は解除のそれぞれとが押しボタンを押すことにより制御される時計を提供する。本発明により、押しボタンは、例えば時計ケース内に配置された穴を通ってばねの戻り力に抗して摺動可能な軸を含むタイプでもよい。まさにその構造により、そのような押しボタンは誤って作動できないし、そのため本発明による時計を着けた人は自分の時計のアラーム機構の（スイッチのオンオフ）状態を常に信頼性を以って知ることができる。同様に、着けている人は、予期せずに動くアラーム機構によりタイミング悪く邪魔されたり、あるいは逆にアラーム機構が意図せずに切られたために会議に出席しそこなったり、時間通りに起きなかったりすることが最早なくなる。
【０００８】
　発明のもう一つの特徴によれば、押しボタンはコラムホイールを介して制御装置に作用する。
【０００９】
　コラムホイールは使用者に明瞭に認識可能な視覚情報にとって必要な全ての精度で制御装置が作動されるようにし、またアラーム発生部材を適切に固定する。さらにコラムホイールは単純な機構であり、その結果その動作に信頼性があり、いくつかの機能を同時に制御可能であるにもかかわらずコンパクトである。
【００１０】
　本発明の他の特徴と利点は発明による時計の実施例の以下の詳細な説明からもっと明らかになるであろう。ただし、この例は添付図と関連して非限定的な図解としてのみ与えられる。　
【００１１】
　本発明はアラーム機構を交互に確かにロック及びアンロックする簡単な装置を提供するという一般的な考えから発する。本発明は従ってアラーム機構のオンオフ状態について視覚表示を提供し、それと同時に押しボタンによりアラーム発生部材をロック又は解除する制御装置を作動することを教示する。この特徴の結果、アラーム機構は予期せず作動されることがなくなり、そのため使用者は前記アラーム機構に対して設定が実行されていることを常に信用できる。
【発明を実施するための最良の形態】
【００１２】
　本発明は腕時計と関連して述べられる。しかしながら本発明がそのような時計に限定されないし、如何なるタイプの時計にも適用可能であることは言うまでもない。
【００１３】
　図１に部分的に示すアラーム機構はその一般的な構造として従来のタイプのものであり、この種の機構の通常の要素、詳細には叩き機構ホイールと噛み合う叩き機構胴と、ハンマーを駆動するピニオンセットを含み、このハンマーはベルまたはピンを叩く。そのような機構の動作の説明は、例えば共同作業であるスイスの技術学校連盟（the Federation of Technical Schools （Federation des Ecoles Techniques））により編集された名称「時計の理論（Theorie de I'horlogerie）」に見出される。
【００１４】
　全体を通じて一般的に参照番号１で示されるアラーム機構は時計を着ける人により予め選択された所定の瞬間にアラーム信号を発生できる部材２を含む。図面に示す例では、このアラーム発生部材２は鐘４を叩く叩きハンマーの形を取る。もちろん、アラーム発生部材２は耳に聞こえるアラーム信号を発生する代わりに、音無しアラーム、例えば使用者が腕に時計を着けているときに感じることのできる振動を発生することもできる。
【００１５】
　本発明による腕時計は二種の役を果たす制御装置６を含む。一つは、アラーム機構のスイッチがオンかオフかを示すために使用者に視覚情報を提供し、他は、それと同時に叩きハンマー２をロック又は解除する。制御装置６はこのためにアラームロックレバー８とロック表示レバー１０を含む。以下の説明でより詳しく分るように、アラームロックレバー８はアーム１２を含み、アラーム機構１のロック位置で前記ハンマー２に固着されたピン等の停止部材１４を押すことにより叩きハンマー２を固定する。ロック表示レバー１０はその一端に屈曲形状１６を有し、そこに転写により形成された着色円盤等の表示シンボル１８を設けている。この着色円盤１８はアラーム機構１のスイッチがオンになっていることを使用者に示すために時計の文字盤に配置された開口２０に面して現れるようになっている（図２参照）。
【００１６】
　発明によれば、使用者は望むときは押しボタン２２を介して時計ケースの外側から制御装置６を操作できる。図面に模式的に示すこの押しボタン２２は、それを指で押すことにより制御装置６に作用し、その後に押すのを止めたらその初期位置に戻るようになっていれば、所望のどのようなタイプのものでもよい。
【００１７】
　押しボタン２２はコラムホイール２４を介して制御装置６に作用する。このコラムホイール２４はラチェットと呼ばれる歯車２６と、歯車２６に直角に作られたコラム２８とで形成される。本発明によるアラーム機構１は二倍機構であるので、ラチェット２６の歯３０の数はコラム２８の数の二倍である。図面に示すようにラチェットホイール２６の歯３０の数は１２であり、コラム２８の数は６である。しかしながらこれらの数は例として与えられるだけであり、それらは、ラチェットホイール２６の歯３０の数がコラム２８の数の二倍であることを前提として違った数でもよいことは言うまでもない。
【００１８】
　これから詳細に説明するように、ホイール２４のコラム２８は、コラム２８に当接したり、二つのコラム２８の間に位置する、レバー、即ちアラームロックレバー８とロック表示レバー１０とを制御する歯と間隔を形成している。
【００１９】
　押しボタン２２の矢印Ａに沿った直線運動は押しボタン２２が当接するアラーム停止制御レバー３２によりピボット回転運動に変換される。ばね３４により付勢される制御レバー３２は、一端に軸３８が中に挿入された楕円形の穴３６を有し、他端にラチェットホイール２６の二つの歯３０の間に位置するビーク（くちばし状部材）４２で終わる屈曲形状４０を有する。押しボタン２２に最初の圧力がかかるときは、本発明によるアラーム機構１は図１に示す状況にあり、その状態では前記アラーム機構１がロックされず、それは使用者によりプログラムされたアラーム時刻に達した瞬間に叩きハンマー２が鐘４を叩くことができることを意味する。アラームロックレバー８のアーム１２はハンマー２のピン１４から遠ざかり、アーム１２の反対側端部においてアラームロックレバー８はビーク４４を介してホイール２４のコラム２８の一つに当接する。それと同時にばね４６により付勢されるロック表示レバー１０は二つのコラム２８の間に位置するビーク４８を介してコラムホイール２４に噛み合わされる。ロック表示レバー１０のこの位置で、着色円盤１８は時計の文字盤の中に作られた開口２０を通じて見え、使用者に自分の時計のアラーム機構１が作動位置にあることを示す。
【００２０】
　押しボタン２２に引き続き圧力をかけると制御レバー３２をピボット回転させ、そのビーク４２を介してコラムホイール２４を駆動して反時計方向に一回転の１２分の一の回転運動をさせる（図２）。コラムホイール２４はジャンパばね５０によりこの新しい位置に固定される。ジャンパばね５０は一端に傾斜した面を有し、その面がラチェットホイール２６の二つの引き続く歯３０の間に収まってホイールを所定位置に保持する。前記ラチェットホイール２６が動作させられると、その歯３０がジャンパばね５０を持ち上げ、その後傾斜面が別の二つの歯の間に入る。
【００２１】
　コラムホイール２４の回転運動の間、前はコラム２８の一つに当接していたアラームロックレバー８のビーク４４はこれらのコラム２８の二つの間に入り、アラームロックレバー８を軸５２の回りで上にピボット回転させ、それによりそのアーム１２はピン１４の移動を防止し、前記ピン１４が固着されているハンマー２を固定する。アラームロックレバー８がしっかりと保持され、従ってハンマー２が完全に静止することを確実にするために、前記アラームロックレバー８は、ビーク４４が二つのコラム２８の間に入ったときに、このホイール５４が別のコラム２８に当接するように配置されたヒール５４を有する。アラームロックレバー８が叩きハンマー２を固定すると同時にロック表示レバー１０はまたコラムホイール２４により駆動されて軸５６の回りでピボット回転運動する。前にはホイール２４の二つのコラム２８の間に位置した前記ロック表示レバー１０のビーク４８はコラム２８の一つにより持ち上げられ、それに当接する。この運動の間、アラーム機構１のスイッチのオン状態を表わす着色円盤１８が移動し、時計の文字盤に配置された開口２０に現れるのはロック表示レバー１０の屈曲形状１６の一部である。例えば着色円盤１８が赤だとすると、屈曲形状１６の他の部分は白である。こうして使用者がこの時計の文字盤の開口２０を通じて白い円盤、あるいは文字盤の色と同じ色を見るときは、彼は本発明によるアラーム機構１がロックされ、従ってアラームが禁じられていることを知る。
【００２２】
　押しボタン２２に新しく圧力がかかったら、アラーム機構１は図１に図解される状況に戻る。制御レバー３２は押しボタン２２により作動させられてそのビーク４２を介してコラムホイールをピボット回転駆動させ、一回転の１２分の一の回転運動をさせる。この運動の間、二つのコラム２８の間に位置したアラームロックレバー８のビーク４４はそのコラムの一つにより持ち上げられ、それに当接する。その結果、ロック８はその軸５２の回りでピボット回転し、そのアーム１２はピン１４から遠ざかり、従ってハンマー２を解除する。それと同時に、コラム２８に当接していたロック表示レバー１０のビーク４８がこれらのコラム２８の二つの間に入り、前記表示レバー１０をその軸５６の回りでピボット回転させ、着色円盤１８を時計の文字盤の中に作られた開口２０の中に見えるようにし、こうしてアラーム機構１が解除され、アラームのスイッチがオンであることを使用者に表示する。
【００２３】
　本発明が先ほど述べた実施例に限定されず、また発明の範囲から逸脱することなく種々の簡単な修正と変形を思いつき得ることは言うまでもない。
【図面の簡単な説明】
【００２４】
【図１】アンロック位置にあるアラーム機構の平面図である。
【図２】アラーム機構がそのロック位置にある図１と類似の図である。
【図３】図１と２に示すアラーム機構の断面図である。
【符号の説明】
【００２５】
　１　アラーム機構、２　アラーム信号発生部材、４　鐘、６　制御装置、８　アラームロックレバー、１０　アラーム表示レバー、１２　アーム、１８　表示シンボル、２２　押しボタン、２４　コラムムホイール、２６　ラチェットホイール、２８　コラム、３０　歯、３２　制御レバー、４４　ビーク、５４　ヒール
【図１】
2004085572.tif 000003
【図２】
2004085572.tif 000004
【図３】
2004085572.tif 000005